【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
多焦点視力矯正を行うための方法であって、眼の複数の瞳孔状態を求める段階で、第１の瞳孔状態に対応する瞳孔位置が、第２の瞳孔状態に対応する瞳孔位置に対して非同心である、求める段階と、目標波面プロファイルを前記複数の瞳孔状態に基づいて求める段階と、前記眼の波面収差マップを求める段階と、前記目標波面プロファイル及び前記波面収差マップに基づいて波面補正プロファイルを求める段階とを含む、方法。
【請求項２】
前記波面補正プロファイルが、前記目標波面プロファイルと前記波面収差マップに関連した基準波面プロファイルとの差に基づいたものである、請求項1に記載の方法。
【請求項３】
眼の複数の瞳孔状態を求める前記段階が、前記眼の瞳孔の寸法の変化及び前記瞳孔の位置の変化を求める段階を含む、請求項１に記載の方法。
【請求項４】
眼の複数の瞳孔状態を求める前記段階が、複数の所望の視覚状態を求める段階と、前記複数の所望の視覚状態のそれぞれに対応した瞳孔状態を推定する段階とを含む、請求項１に記載の方法。
【請求項５】
眼の複数の瞳孔状態を求める前記段階が、複数の所望の視覚状態をシミュレートする段階と、前記所望の視覚状態のそれぞれに起因する瞳孔状態を測定する段階とを含む、請求項１に記載の方法。
【請求項６】
眼の複数の瞳孔状態を求める前記段階が、照明条件に対応した瞳孔状態を求める段階を含む、請求項１に記載の方法。
【請求項７】
前記瞳孔状態を求める前記段階が、注視距離に対応した瞳孔状態を求める段階を更に含む、請求項6に記載の方法。
【請求項８】
目標波面プロファイルを求める前記段階が、注視対象物体までの複数の距離を選択する段階と、少なくとも部分的には該複数距離に基づいて前記目標波面プロファイルを求める段階とを含む、請求項１に記載の方法。
【請求項９】
前記複数の瞳孔状態が少なくとも３つの瞳孔状態を含む、請求項１に記載の方法。
【請求項１０】
前記波面補正プロファイルに従って光学素子を成形する段階を更に含む、請求項1に記載の方法。
【請求項１１】
前記波面補正プロファイルに従って光可調節レンズを照射する段階を更に含む、請求項1に記載の方法。
【請求項１２】
前記波面補正プロファイルを求める前記段階が、被験者のために複数の波面補正プロファイル候補に基づいて像をシミュレートする段階と、前記被験者からのフィードバックに基づいて前記波面補正プロファイルを選択する段階とを含む、請求項1に記載の方法。
【請求項１３】
多焦点視力矯正を行うための方法であって、
眼の複数の瞳孔状態を求める段階であって、第１の瞳孔状態に対応する瞳孔位置が、第２の瞳孔状態に対応する瞳孔位置に対して非同心である、求める段階と、目標波面プロファイルを前記複数の瞳孔状態に基づいて求める段階とを含み、前記目標波面プロファイルを求める前記段階が、第１組の修正係数を、一組の目標係数及び第１の瞳孔状態の関数として与える段階と、第２組の修正係数を、前記一組の目標係数及び第２の瞳孔状態の関数として与える段階と、前記第１組の修正係数のうち少なくとも１つと前記第２組の修正係数のうち少なくとも１つとに関する制約条件に従って前記一組の目標係数を選択する段階と、前記目標係数に基づいて前記目標波面プロファイルを求める段階とを含む、方法。
【請求項１４】
前記眼の波面収差マップを求める段階と、前記波面収差マップに対応する空間モードの一組の基準係数を与える段階と、前記目標係数及び前記基準係数に基づいて波面補正プロファイルを求める段階とを更に含む、請求項13に記載の方法。
【請求項１５】
前記目標係数を選択する前記段階が、前記第１組及び第２組の修正係数に対応する計量に基づいて前記目標係数を選択する段階を含む、請求項13に記載の方法。
【請求項１６】
多焦点視力矯正を実行するシステムであって、眼の波面収差マップを求めるよう構成された波面マッピングモジュールと、第１の瞳孔状態に対応する瞳孔位置が、第２の瞳孔状態に対応する瞳孔位置に対して非同心である、眼の複数の瞳孔状態を求めるよう構成されたプロファイル計算モジュールであって、目標波面プロファイルを前記複数の瞳孔状態に基づいて求め、且つ前記目標波面プロファイル及び前記波面収差マップに基づいて波面補正プロファイルを求めるプロファイル計算モジュールとを含み、前記プロファイル計算モジュールが、前記波面補正プロファイルを、前記目標波面プロファイルと前記波面収差マップに関連した基準波面プロファイルとの差に基づいて求めるよう構成されている、システム。
【請求項１７】
多焦点視力矯正を行うための方法であって、眼が暴露される複数の視覚状態を求める段階と、前記眼の瞳孔の位置への影響を含んだ、該瞳孔への前記視覚状態の影響を求める段階と、目標波面プロファイルを前記影響に基づいて求める段階とを含み、前記瞳孔への前記視覚状態の影響を求める前記段階が、複数の瞳孔状態を求める段階であって、第１の瞳孔状態に対応する瞳孔位置が、第２の瞳孔状態に対応する瞳孔位置に対して非同心である、求める段階を含む、方法。
【請求項１８】
前記眼の波面収差マップを求める段階と、前記目標波面プロファイルと前記波面収差マップとに基づいて波面補正プロファイルを求める段階とを更に含む、請求項17に記載の方法。
【請求項１９】
点広がり関数、光学的伝達関数、変調伝達関数、及び相伝達関数からなるグループから選択される計量に少なくとも部分的に基づいて前記波面補正プロファイルを求める段階を更に含む、請求項18に記載の方法。
【請求項２０】
前記瞳孔への前記視覚状態の影響を求める前記段階が、前記瞳孔の寸法の変化及び前記瞳孔の位置の変化を求める段階を含む、請求項17に記載の方法。
【請求項２１】
複数の視覚状態を求める前記段階が、複数の所望の視覚状態をシミュレートする段階を含み、前記瞳孔への前記視覚状態の影響を求める前記段階が、前記所望の視覚状態のそれぞれに起因する瞳孔状態を測定する段階とを含む、請求項17に記載の方法
【請求項２２】
前記瞳孔への前記視覚状態の影響を求める前記段階が、照明条件に対応した瞳孔状態を求める段階を含む、請求項17に記載の方法。
【請求項２３】
前記瞳孔状態を求める前記段階が、注視距離に対応した瞳孔状態を求める段階を更に含む、請求項22に記載の方法。
【請求項２４】
多焦点視力矯正を行うための方法であって、眼が暴露される複数の視覚状態を求める段階と、前記眼の瞳孔の位置への影響を含む該瞳孔への前記視覚状態の影響を求める段階であって、第１組の修正係数を、一組の目標係数及び第１の瞳孔状態の関数として与える段階と、第２組の修正係数を、前記一組の目標係数及び第２の瞳孔状態の関数として与える段階と、前記第１組の修正係数のうち少なくとも１つと前記第２組の修正係数のうち少なくとも１つとに関する制約条件に従って前記一組の目標係数を選択する段階とを含む、影響を求める段階と、前記影響に基づいて目標波面プロファイルを求める段階であって、前記目標係数に基づいて当該目標波面プロファイルを求めることを含んだ、求める段階とを含む、方法。
【請求項２５】
前記眼の波面収差マップを求める段階と、前記波面収差マップに対応する空間モードの一組の基準係数を与える段階と、前記目標係数及び前記基準係数に基づいて波面補正プロファイルを求める段階とを更に含む、請求項24に記載の方法。
【請求項２６】
多焦点視力矯正を行うためのシステムであって、眼が暴露される複数の視覚状態を求めるよう構成されたプロファイル計算モジュールで、前記眼の瞳孔の位置への影響を含んだ、該瞳孔への前記視覚状態の影響を求め、目標波面プロファイルを前記影響に基づいて求め、前記目標波面プロファイルに基づいて波面補正プロファイルを求めるプロファイル計算モジュールと、前記眼の波面収差マップを求めるよう構成された波面マッピングモジュールとを含み、前記プロファイル計算モジュールが、前記目標波面プロファイルと前記波面収差マップとに基づいて前記波面補正プロファイルを求めるよう構成されている、システム。
【請求項２７】
多焦点視力矯正を行うための方法であって、眼が暴露される複数の視覚状態を求める段階と、前記眼の瞳孔の位置への影響を含んだ、該瞳孔への前記視覚状態の影響を求める段階と、目標波面プロファイルを前記影響に基づいて求める段階とを含み、目標波面プロファイルを求める前記段階が、注視対象物体までの複数の距離を選択する段階と、少なくとも部分的には該複数距離に基づいて前記目標波面プロファイルを求める段階とを含む。
【請求項２８】
多焦点視力矯正を行うための方法であって、眼が暴露される複数の視覚状態を求める段階と、前記眼の瞳孔の位置への影響を含んだ、該瞳孔への前記視覚状態の影響を求める段階と、目標波面プロファイルを前記影響に基づいて求める段階とを含み、複数の視覚状態を求める前記段階が、所望の視覚状態を、該所望の視覚状態に合わせて遠近調節しようとする被験者の意図を示す測定値に基づいて推定する段階を含む、方法。
【請求項２９】
多焦点視力矯正を行うための方法であって、眼が暴露される複数の視覚状態を求める段階と、前記眼の瞳孔の位置への影響を含んだ、該瞳孔への前記視覚状態の影響を求める段階と、目標波面プロファイルを前記影響に基づいて求める段階とを含み、前記眼の波面収差マップを求める段階と、前記目標波面プロファイル及び前記波面収差マップに基づいて波面補正プロファイルを求める段階と、前記波面補正プロファイルを求める前記段階が、被験者のために複数の波面補正プロファイル候補に基づいて像をシミュレートする段階と、前記被験者からのフィードバックに基づいて前記波面補正プロファイルを選択する段階とを含む、方法。